(57)【要約】【課題】  電気的駆動手段にて球抜き操作を行わせるものであって、パチンコ遊技機に対する通電が行われていないときであっても、球通路レールの球抜き操作を良好に行わせることができるパチンコ遊技機を提供する。【解決手段】  受け皿５と、球通路レール７と、球送り装置８と、球通路レール７における球送り装置８直前の位置の遊技球を落下させ得る通路側球抜き孔１１と、該通路側球抜き孔１１を開放又は閉塞可能とする第２作動部材１２と、遊技者による球抜きボタン６の操作に基づき、第２作動部材１２を電気的に駆動して通路側球抜き孔１１を開放又は閉塞させる電磁ソレノイドＳ２とを具備したパチンコ遊技機１であって、球抜きボタン６とは別個に設けられ、第２作動部材１２を手動で動作させて通路側球抜き孔１１を開放又は閉塞させ得る手動操作部（突出部２０）を具備したものである。【選択図】図９
2006223521.tif 000002
【特許請求の範囲】
【請求項１】
遊技者が投入する遊技球及び払い出された賞球を受け得る受け皿と、
該受け皿上の遊技球を一列に整列させつつ、遊技球を遊技盤に発射する発射装置まで延設された球通路レールと、
該球通路レール上の遊技球を前記発射装置に送るための球送り装置と、
前記球通路レールにおける前記球送り装置直前の位置の遊技球を落下させ得る通路側球抜き孔と、
該通路側球抜き孔を開放又は閉塞可能とする作動部材と、
遊技者による操作部の操作に基づき、該作動部材を電気的に駆動して前記通路側球抜き孔を開放又は閉塞させる電気的駆動手段と、
を具備したパチンコ遊技機であって、
前記操作部とは別個に設けられ、前記作動部材を手動で動作させて前記通路側球抜き孔を開放又は閉塞させ得る手動操作部を具備したことを特徴とするパチンコ遊技機。
【請求項２】
前記手動操作部は、パチンコ遊技機本体の背面側に設けられ、遊技中の遊技者による操作が規制されたことを特徴とする請求項１記載のパチンコ遊技機。
【請求項３】
前記電気的駆動手段は、前記操作部の操作に基づき伸縮して前記作動部材を開放状態又は閉塞状態に動作させ得る作動軸を有した電磁ソレノイドから成るとともに、前記手動操作部は、当該作動軸と前記作動部材とを連結させる連結部から一体的に突出形成された突出部から成ることを特徴とする請求項１又は請求項２記載のパチンコ遊技機。
【請求項４】
前記操作手段による球抜き開始の操作が行われた場合、遊技球が遊技盤に発射されていない非発射状態であることを条件に、前記通路側球抜き孔を開放させるべく前記電気的駆動手段が前記作動部材を駆動させることを特徴とする請求項１〜請求項３の何れか１つに記載のパチンコ遊技機。
【発明の詳細な説明】
【技術分野】
【０００１】
本発明は、遊技者が投入する遊技球及び払い出された賞球を受け得る受け皿を具備するとともに該受け皿から発射装置まで延設された球通路レール上の遊技球を下方へ落下させて球抜きするための通路側球抜き孔を具備したパチンコ遊技機に関するものである。
【背景技術】
【０００２】
一般のパチンコ遊技機においては、その前面枠に上皿及び下皿を具備しており、上皿に遊技者が遊技球を投入するとともに、上皿で受けきれない賞球等を下皿にて受け得るよう構成されていた。かかるパチンコ遊技機においては、受け皿（上皿）から遊技球の発射装置まで延設して遊技球を一列に整列させ得る球通路レールと、該球通路レールの遊技球を発射装置に送る球送り装置とを具備しており、球通路レールにおける球送り装置直前の位置には、遊技球を落下させ得る球抜き孔が形成されている。
【０００３】
上記パチンコ遊技機によれば、遊技が終了した際、例えば受け皿に形成された操作部（具体的には、球抜き孔を覆う部材と連動するスライド部材など）を操作することにより、球通路レールにおける球送り装置直前の位置の球抜き孔（通路側球抜き孔）を開放し、遊技者が受け皿の下方に配設した賞球箱に遊技球を落下させて球抜きが行われるよう構成されている。ところで、従来、このような球抜き操作を電磁ソレノイド等電気的駆動手段を利用して行わせる技術が提案されるに至っている。
【０００４】
即ち、電磁ソレノイドの操作子を球抜き孔を開放又は閉塞可能な作動部材に連結させておき、受け皿等に設けた操作部（操作ボタン等）を操作すると、当該電磁ソレノイドに電気信号が送信され、操作子を収縮して作動部材を動作させ、球通路レールの球抜き孔（通路側球抜き孔）を開放することにより遊技球を落下させて球抜きが行われるようなものである。尚、かかる先行技術は、文献公知発明に係るものでないため、記載すべき先行技術文献情報はない。
【発明の開示】
【発明が解決しようとする課題】
【０００５】
しかしながら、上記従来のパチンコ遊技機においては、電磁ソレノイド等電気的駆動手段により、作動部材を動作させ、球抜き孔を開放可能としているため、例えばホールのメンテナンス時等、パチンコ遊技機に対する通電が行われていないときには、球抜き作業が行えないという問題があった。特に、球通路レールにおける球送り装置直前の位置の球抜き作業は、受け皿上の球抜きと異なり、作業者の手が届きにくい位置の作業となるため、通電がなされていない時の当該位置の球抜き作業は、極めて困難なものであった。
【０００６】
本発明は、このような事情に鑑みてなされたもので、電気的駆動手段にて球抜き操作を行わせるものであって、パチンコ遊技機に対する通電が行われていないときであっても、球通路レールの球抜き操作を良好に行わせることができるパチンコ遊技機を提供することにある。
【課題を解決するための手段】
【０００７】
請求項１記載の発明は、遊技者が投入する遊技球及び払い出された賞球を受け得る受け皿と、該受け皿上の遊技球を一列に整列させつつ、遊技球を遊技盤に発射する発射装置まで延設された球通路レールと、該球通路レール上の遊技球を前記発射装置に送るための球送り装置と、前記球通路レールにおける前記球送り装置直前の位置の遊技球を落下させ得る通路側球抜き孔と、該通路側球抜き孔を開放又は閉塞可能とする作動部材と、遊技者による操作部の操作に基づき、該作動部材を電気的に駆動して前記通路側球抜き孔を開放又は閉塞させる電気的駆動手段とを具備したパチンコ遊技機であって、前記操作部とは別個に設けられ、前記作動部材を手動で動作させて前記通路側球抜き孔を開放又は閉塞させ得る手動操作部を具備したことを特徴とする。
【０００８】
請求項２記載の発明は、請求項１記載のパチンコ遊技機において、前記手動操作部は、パチンコ遊技機本体の背面側に設けられ、遊技中の遊技者による操作が規制されたことを特徴とする。
【０００９】
請求項３記載の発明は、請求項１又は請求項２記載のパチンコ遊技機において、前記電気的駆動手段は、前記操作部の操作に基づき伸縮して前記作動部材を開放状態又は閉塞状態に動作させ得る作動軸を有した電磁ソレノイドから成るとともに、前記手動操作部は、当該作動軸と前記作動部材とを連結させる連結部から一体的に突出形成された突出部から成ることを特徴とする。
【００１０】
請求項４記載の発明は、請求項１〜請求項３の何れか１つに記載のパチンコ遊技機において、前記操作手段による球抜き開始の操作が行われた場合、遊技球が遊技盤に発射されていない非発射状態であることを条件に、前記通路側球抜き孔を開放させるべく前記電気的駆動手段が前記作動部材を駆動させることを特徴とする。
【発明の効果】
【００１１】
請求項１の発明によれば、作動部材を手動で動作させて通路側球抜き孔を開放又は閉塞させ得る手動操作部を具備したので、電気的駆動手段にて球抜き操作を行わせるものであって、パチンコ遊技機に対する通電が行われていないときであっても、球通路レールの球抜き操作を良好に行わせることができる。
【００１２】
請求項２の発明によれば、手動操作部がパチンコ遊技機本体の背面側に設けられ、遊技中の遊技者による操作が規制されたので、遊技中の遊技者が手動操作部を誤操作して、球通路レール上の球抜きを行ってしまい、不用意に遊技盤への遊技球の発射ができなくなってしまうのを回避することができる。
【００１３】
請求項３の発明によれば、手動操作部が、電磁ソレノイドの作動軸と作動部材とを連結する連結部から一体的に突出形成された突出部から成るので、連結部と手動操作部とを別個に設けたものに比べ、部品点数を削減し、製造コストを低減させることができる。
【００１４】
請求項４の発明によれば、操作手段による球抜き開始の操作が行われた場合、遊技球が遊技盤に発射されていない非発射状態であることを条件に、通路側球抜き孔を開放させるべく電気的駆動手段が作動部材を駆動させ、球抜きを行わせるので、遊技者の誤操作に基づく球通路レールの球抜きを確実に回避することができる。
【発明を実施するための最良の形態】
【００１５】
以下、本発明の実施形態について図面を参照しながら具体的に説明する。
本実施形態に係るパチンコ遊技機は、図１に示すように、遊技盤（不図示）を透視し得るガラス窓２と、遊技盤上に遊技球を発射操作するためのハンドル４と、遊技者が投入する遊技球及び払い出しされた賞球等を受け得る受け皿５と、操作手段としての球抜きボタン６とが主に前面枠３に配設されたものである。
【００１６】
ハンドル４は、遊技者が把持しつつ回動操作することにより、内部の発射装置（不図示）を駆動させ、連続的に遊技盤上へ遊技球を発射させ得るものである。かかるハンドル４には、遊技者の手が触れているか否かを検知するタッチセンサ１５（図１１参照）が配設されており、該タッチセンサ１５の検知状態により、遊技球が遊技盤に発射されているか否かを間接的に判別できるよう構成されている。
【００１７】
受け皿５は、前面枠３から正面側（遊技者側）に膨出して形成され、遊技者が投入する遊技球、払い戻される賞球又はファウル球等を多数収容し得るもので、その底面の一部に球抜き用の受け皿側球抜き孔９（図５等参照）が形成されるとともに、球通路レール７（図２及び図３参照）と連結されている。かかる球通路レール７は、遊技球を遊技盤に発射する発射装置（不図示）と受け皿５とを連結したもので、当該受け皿５上の遊技球を一列に整列させつつ発射装置まで送るためのものである。
【００１８】
球通路レール７における発射装置の直前の位置には、図３に示すように、当該球通路レール７上の遊技球を発射装置に送るための球送り装置８が配設されている。即ち、受け皿５上の遊技球は、球通路レール７にて整列されつつ球送り装置８に１個づつ送り込まれ、そこから発射装置内に至った後、該発射装置の駆動により遊技盤に発射されるよう構成されているのである。
【００１９】
また、受け皿５の底面に形成された受け皿側球抜き孔９は、図４及び図５に示すように、第１作動部材１０の動作により、開放又は閉塞され得るものであり、開放により受け皿５上の遊技球が下方に落下し得るよう構成されている。かかる第１作動部材１０は、その基端側の揺動軸１０ａを中心に揺動自在とされるとともに、先端には受け皿側球抜き孔９を閉塞し得る閉塞部１０ｂが形成されている。
【００２０】
また、第１作動部材１０の基端は、電磁ソレノイドＳ１の作動軸Ｓ１ａと連結されており、当該電磁ソレノイドＳ１の電気的な駆動により、閉塞位置（図４の状態）にある第１作動部材１０を、開放位置（図５の状態）まで揺動させ、受け皿側球抜き孔９を開放させるよう構成されている。尚、電磁ソレノイドＳ１の駆動が停止すると、スプリングＢ１の不勢力により、開放位置の第１作動部材１０が閉塞位置（初期位置）まで揺動し、受け皿側球抜き孔９を再び閉塞し得るよう構成されている。
【００２１】
一方、球通路レール７における球送り装置８直前の位置（即ち、球通路レール７の先端位置）には、図６及び図７に示すように、通路側球抜き孔１１が形成されている。かかる通路側球抜き孔１１は、同図に示すように、第２作動部材１２の動作により、開放又は閉塞され得るものであり、開放により球送り装置８に送られる直前の遊技球が１個づつ下方に落下し得るよう構成されている。
【００２２】
かかる第２作動部材１２は、図８及び図９に示すように、樹脂製のケース１８に収容され、その基端側の揺動軸１２ａを中心に揺動自在とされるとともに、先端には通路側球抜き孔１１を閉塞し得る閉塞部１２ｂが形成されている。また、第２作動部材１２は、電磁ソレノイドＳ２（電気的駆動手段）の駆動により、揺動し、通路側球抜き孔１１を開放又は閉塞し得るよう構成されている。
【００２３】
具体的には、電磁ソレノイドＳ２は、球抜きボタン６の操作に基づき伸縮する作動軸Ｓ２ａを有しており、該作動軸Ｓ２ａの先端に設けられた連結部１９の長孔１９ａに第２作動部材１２の係合軸１２ｃを係合させることにより、作動軸Ｓ２ａと第２作動部材１２とが連結されている。そして、電磁ソレノイドＳ２の電気的な駆動により、閉塞位置（図６の状態）にある第２作動部材１２を、開放位置（図７の状態）まで揺動させ、通路側球抜き孔１１を開放させるよう構成されている。尚、電磁ソレノイドＳ２の駆動が停止すると、スプリングＢ２の不勢力により、開放位置の第２作動部材１２が閉塞位置（初期位置）まで揺動し、通路側球抜き孔１１を再び閉塞し得るよう構成されている。
【００２４】
更に、本実施形態においては、ケース１８から所定寸法突出するとともに、連結部１９と一体形成された突出部２０が設けられている。かかる突出部２０は、操作部としての球抜きボタン６とは別個に設けられた手動操作部を構成するものであり、図９（ａ）に示すように、その突端を手で押圧することにより、第２作動部材１２を揺動させ、同図（ｂ）に示すように、通路側球抜き孔１１を開放させ得るものである。
【００２５】
これにより、第２作動部材１２を手動で動作して、通路側球抜き孔１１を開放又は閉塞させることができるので、電磁ソレノイドＳ２にて球抜き操作を行わせるものであって、パチンコ遊技機１に対する通電が行われていないときであっても、球通路レール７の球抜き操作を良好に行わせることができる。また、図３に示すように、突出部２０がパチンコ遊技機１本体の背面側（本実施形態においては、前面枠３の背面側）に設けられ、遊技中の遊技者による操作が規制されているので、遊技中の遊技者が突出部２０を誤操作して、球通路レール７上の球抜きを行ってしまい、不用意に遊技盤への遊技球の発射ができなくなってしまうのを回避することができる一方、ホールのメンテナンス時などのパチンコ遊技機１に対する非通電時においては、前面枠３を開けば、突出部２０を手動にて操作することにより第２作動部材１２を動作させることができる。
【００２６】
更に、第２作動部材１２を手動操作するための手動操作部が、電磁ソレノイドＳ２の作動軸Ｓ２ａと第２作動部材１２とを連結する連結部１９から一体的に突出形成された突出部２０から成るので、連結部１９と手動操作部とを別個に設けたものに比べ、部品点数を削減し、製造コストを低減させることができる。尚、突出部２０の突端側の径を大きくして、操作し易いようにしてもよく、その大径部に操作方法等を示す所定の表示等を行うようにしてもよい。
【００２７】
上記した受け皿側球抜き孔９及び通路側球抜き孔１１は、図１０に示すように、球抜き通路１３及び連結路１４により連結されており、当該球抜き通路１３には、下方に開口した排出口１３ａが形成されている。即ち、受け皿側球抜き孔９から落下した遊技球は、連結路１４を介して球抜き通路１３を通過し、排出口１３ａから排出される一方、通路側球抜き孔１１から落下した遊技球は、球抜き通路１３を落下して排出口１３ａから排出される。これにより、遊技終了の際、排出口１３ａの下方に賞球箱を保持しておけば、受け皿５上の遊技球と共に球通路レール７上の遊技球をも当該賞球箱に落下させ、回収することができる。
【００２８】
操作手段としての球抜きボタン６は、電磁ソレノイドＳ１又はＳ２による駆動を任意に開始又は停止させ得るものであり、押圧操作している間、電磁ソレノイドＳ１又はＳ２を駆動させて、球抜き作業を継続して行わせるとともに、押圧操作を止めることにより、当該電磁ソレノイドＳ１又はＳ２の駆動を停止させ、球抜き作業を終了させるよう構成されている。
【００２９】
ここで、本実施形態に係る球抜きボタン６は、図１１に示すように、アンド回路１６及びタイマ回路１７と電気的に接続されているとともに、当該アンド回路１６はハンドル４に配設されたタッチセンサ１５と電気的に接続されている。また、アンド回路１６の出力側端子は、配線Ｈ１を介して電磁ソレノイドＳ２と電気的に接続されている一方、タイマ回路１７の出力側端子は、配線Ｈ２及びＨ３を介して電磁ソレノイドＳ１と電気的に接続されている。
【００３０】
アンド回路１６は、タッチセンサ１５からの電気信号（遊技者がタッチセンサ１５に触れていない非検知信号）と、球抜きボタン６からの電気信号とが両方入力された際、電磁ソレノイドＳ２に対して駆動電力を供給し、何れか一方の信号の入力では、当該電磁ソレノイドＳ２に対して駆動電力を供給しない（即ち、停止状態となる）よう構成された回路である。これにより、タッチセンサ１５が遊技者のハンドル４への把持を検知せず（即ち、遊技球が遊技盤に発射されていない非発射状態）、且つ、球抜きボタン６が押圧操作された場合に限って、電磁ソレノイドＳ２を駆動させることができる。
【００３１】
また、タイマ回路１７は、球抜きボタン６から電気信号が入力されてからの時間を計数し、当該時間が予め設定した所定時間に達するまでは、配線Ｈ２を介して電磁ソレノイドＳ１を駆動させるとともに、所定時間経過後は、配線Ｈ３を介して電磁ソレノイドＳ１を駆動させ、時間による切り替え制御を可能とする回路である。しかして、配線Ｈ２を介して電磁ソレノイドＳ１へ供給される電力は、配線Ｈ１を介する電力より大きく設定されており、球抜きボタン６が押圧操作されてから所定時間までは、大きな電力にて電磁ソレノイドＳ１を駆動させ、その後においてはより小さな電力にて電磁ソレノイドＳ１を駆動させ得るよう構成されている。
【００３２】
上記構成により、遊技終了後、遊技者が球抜き操作をしようとして球抜きボタン６を押圧操作すると、遊技球が遊技盤に発射されている発射状態（タッチセンサ１５が遊技者のハンドル４への把持を検知）では、アンド回路１６の条件に合致しないため電磁ソレノイドＳ２への駆動電力が供給されず、電磁ソレノイドＳ１への駆動電力の供給のみが行われ、第１作動部材１０が駆動して受け皿側球抜き孔９のみを開放させる一方、遊技球が遊技盤に発射されていない非発射状態（タッチセンサ１５が遊技者のハンドル４への把持を非検知）では、アンド回路１６の条件に合致して電磁ソレノイドＳ２及び電磁ソレノイドＳ１の両者に駆動電力が供給され、第１作動部材１０及び第２作動部材１２が駆動して受け皿側球抜き孔９及び通路側球抜き孔１１の両方を開放させる。
【００３３】
即ち、球抜きボタン６による球抜き開始の操作が行われた場合、遊技球が遊技盤に発射されていない非発射状態であることを条件に、通路側球抜き孔１１を開放させるべく電磁ソレノイドＳ２が第２作動部材１２を駆動させ、球抜きを行わせるので、遊技球の発射状態においては、電磁ソレノイドＳ２が駆動しないようになっている。これにより、遊技者の誤操作に基づく球通路レールの球抜きを確実に回避することができ、不用意に遊技球が発射できなくなってしまうことを防止することができる。
【００３４】
尚、遊技継続中である発射状態においては、球抜きボタン６を押圧操作すると、受け皿側球抜き孔９からのみ球抜きが行われるとともに、非発射状態においては、球抜きボタン６を押圧操作するだけで、受け皿側球抜き孔９及び通路側球抜き孔１１の両方から球抜きが行われるため、別個の操作手段を具備したものに比べ、受け皿５及び球通路レール７の球抜き操作を良好とすることができる。
【００３５】
以上、本実施形態について説明したが、本発明はこれに限定されるものではなく、例えば受け皿５に代え、一般的な上皿及び下皿のそれぞれを具備したものに適用することができる。また、第２作動部材１２を手動にて動作させる手動操作部として、本実施形態の如き連結部１９と一体形成された突出部２０が好ましいが、他の構成のもの（例えば、連結部１９とは別体のもの等）としてもよい。
【００３６】
更に、本実施形態においては、遊技球が遊技盤に発射されていない非発射状態であることを条件に、電磁ソレノイドＳ２が第２作動部材１２を駆動させ、球抜きを行わせているが、かかる条件がなくても、手動操作自在としてもよい。この場合、タッチセンサ１５に加え、アンド回路１６やタイマ回路１７を不要とすることができる。また更に、本実施形態におけるパチンコ遊技機においては、第１作動部材１０及び第２作動部材１２を駆動するための電気的駆動手段として、電磁ソレノイドＳ１及びＳ２の２つを具備しているが、これらを電気的に駆動可能とするものであれば、他の駆動手段としてもよい。
【産業上の利用可能性】
【００３７】
操作部とは別個に設けられ、前記作動部材を手動で動作させて前記通路側球抜き孔を開放又は閉塞させ得る手動操作部を具備したパチンコ遊技機であれば、外観形状が異なるもの或いは他の機能が付加されたものにも適用することができる。
【図面の簡単な説明】
【００３８】
【図１】本発明の実施形態に係るパチンコ遊技機の外観全体を示す正面図
【図２】同パチンコ遊技機における受け皿近傍を示す斜視図
【図３】同パチンコ遊技機の背面側であって下部を拡大して示す模式図
【図４】同パチンコ遊技機における受け皿側球抜き孔、第１作動部材及び電磁ソレノイドを示す上面模式図（受け皿側球抜き孔閉塞状態）
【図５】同パチンコ遊技機における受け皿側球抜き孔、第１作動部材及び電磁ソレノイドを示す上面模式図（受け皿側球抜き孔開放状態）
【図６】同パチンコ遊技機における通路側球抜き孔、第２作動部材及び電磁ソレノイドを示す上面模式図（通路側球抜き孔閉塞状態）
【図７】同パチンコ遊技機における通路側球抜き孔、第２作動部材及び電磁ソレノイドを示す上面模式図（通路側球抜き孔開放状態）
【図８】同パチンコ遊技機における第２作動部材及び該第２作動部材を収容したケースを示す斜視図
【図９】（ａ）第２作動部材の揺動前の状態を示す平面図（ｂ）第２作動部材の揺動後の状態を示す平面図
【図１０】同パチンコ遊技機における受け皿側球抜き孔及び通路側球抜き孔からの遊技球の落下軌跡を示す模式図
【図１１】同パチンコ遊技機における受け皿側球抜き孔及び通路側球抜き孔を選択的に開放又は閉塞操作するための電気的構成を示す配線図
【符号の説明】
【００３９】
１    パチンコ遊技機
２    ガラス窓
３    前面枠
４    ハンドル
５    受け皿
６    球抜きボタン（操作部）
７    球通路レール
８    球送り装置
９    受け皿側球抜き孔
１０  第１作動部材
１１  通路側球抜き孔
１２  第２作動部材（作動部材）
１３  球抜き通路
１４  連結路
１５  タッチセンサ
１６  アンド回路
１７  タイマ回路
１８  ケース
１９  連結部
２０  突出部（手動操作部）
Ｓ１  電磁ソレノイド
Ｓ２  電磁ソレノイド（電気的駆動手段）
【図１】
2006223521.tif 000003
【図２】
2006223521.tif 000004
【図３】
2006223521.tif 000005
【図４】
2006223521.tif 000006
【図５】
2006223521.tif 000007
【図６】
2006223521.tif 000008
【図７】
2006223521.tif 000009
【図８】
2006223521.tif 000010
【図９】
2006223521.tif 000011
【図１０】
2006223521.tif 000012
【図１１】
2006223521.tif 000013